(57)【要約】      （修正有）【課題】端末を覆うことで端末を保護するという機能は当然に備えつつ、これに加えてプラグの脱落やコネクタ部分の破損を防止することができる端末保護カバーを提供する。【解決手段】プラグ３６を装着した状態の端末３５を保護可能な端末保護カバーであって、箱状に組み立て可能なカバー本体１１と、プラグ３６のケーブル３７に装着可能な抜け止め部材３０と、を備え、カバー本体１１には、ケーブル３７を通すためのケーブル穴２１が開口形成されており、抜け止め部材３０は、カバー本体１１の内側に係合可能とした。【選択図】図２
2019144946.tif 000002
【特許請求の範囲】
【請求項１】
プラグを装着した状態の端末を保護可能な端末保護カバーであって、
箱状に組み立て可能なカバー本体と、
前記プラグのケーブルに装着可能な抜け止め部材と、
を備え、
前記カバー本体には、前記ケーブルを通すためのケーブル穴が開口形成されており、
前記抜け止め部材は、前記カバー本体の内側に係合可能であることを特徴とする、端末保護カバー。
【請求項２】
前記抜け止め部材は、面ファスナーで構成されることを特徴とする、請求項１記載の端末保護カバー。
【請求項３】
前記抜け止め部材として、前記ケーブル穴に係合するクリップ部材を備えることを特徴とする、請求項１記載の端末保護カバー。
【請求項４】
前記カバー本体の内側には、前記端末の位置を固定するための固定手段が設けられていることを特徴とする、請求項１〜３のいずれか１項に記載の端末保護カバー。
【請求項５】
前記固定手段は、面ファスナーによって端末の位置を固定することを特徴とする、請求項４記載の端末保護カバー。
【請求項６】
前記カバー本体は、段ボールで形成されていることを特徴とする、請求項１〜５のいずれか１項に記載の端末保護カバー。
【発明の詳細な説明】
【技術分野】
【０００１】
この発明は、プラグを装着した状態の端末を保護可能な端末保護カバーに関する。
【背景技術】
【０００２】
従来、スマートフォンやタブレットなどの端末を保護する種々のカバーが提供されている（例えば特許文献１）。
【先行技術文献】
【特許文献】
【０００３】
【特許文献１】特開２０１７−１６９１６９号公報
【発明の概要】
【発明が解決しようとする課題】
【０００４】
しかし、上記したような従来のカバーは、プラグを取り外した状態の端末を保護することを前提としており、プラグを装着した状態での使用を考慮したものではなかった。
このため、プラグを装着した状態で使用した場合、プラグが脱落しやすいという問題があった。
【０００５】
また、プラグを装着した状態で端末を落としてしまった場合、本体自体はカバーによって保護されているものの、プラグが保護されていないため、プラグのコネクタ部分が破損しやすいという問題があった。
【０００６】
そこで、本発明は、端末を覆うことで端末を保護するという機能は当然に備えつつ、これに加えてプラグの脱落やコネクタ部分の破損を防止することができる端末保護カバーを提供することを課題とする。
【課題を解決するための手段】
【０００７】
本発明は、上記した課題を解決するためになされたものであり、プラグを装着した状態の端末を保護可能な端末保護カバーであって、箱状に組み立て可能なカバー本体と、前記プラグのケーブルに装着可能な抜け止め部材と、を備え、前記カバー本体には、前記ケーブルを通すためのケーブル穴が開口形成されており、前記抜け止め部材は、前記カバー本体の内側に係合可能であることを特徴とする。
【発明の効果】
【０００８】
本発明は上記の通りであり、カバー本体には、ケーブルを通すためのケーブル穴が開口形成されている。このため、カバー本体にプラグを装着した状態の端末を収容したときに、ケーブル穴からケーブルを外部に出すことができる。すなわち、プラグを含めてカバー本体の内部に収容することができる。よって、プラグおよびプラグを装着するコネクタ部分を保護することができる。
【０００９】
そして、プラグのケーブルに装着可能な抜け止め部材を備え、この抜け止め部材は、カバー本体の内側に係合可能である。よって、抜け止め部材をカバー本体の内側に係合させることで、カバー本体の外に出ているケーブルが引っ張られたとしてもプラグが脱落しにくい構造とすることができる。
なお、抜け止め部材を面ファスナーで構成してもよい。このように構成すれば、抜け止め部材を容易にカバー本体の内側に着脱することができる。
【００１０】
また、前記抜け止め部材として、ケーブル穴に係合するクリップ部材を備えるようにしてもよい。このように構成すれば、カバー本体の内側に抜け止め部材の取り付け部を設けなくてもよいので、構造を簡略化することができる。
【００１１】
また、カバー本体の内側に、端末の位置を固定するための固定手段を設けてもよい。このように構成すれば、カバー本体の内部空間を大きくした場合でも、カバー本体の内部で端末が動くことを防止できる。すなわち、本発明においては、プラグを含めてカバー本体の内部に収容するために、カバー本体の内部空間は端末よりも大きく形成されている。このような場合でも、端末の位置を固定することができる。
【００１２】
また、固定手段は、面ファスナーによって端末の位置を固定するようにしてもよい。このように構成すれば、端末を容易にカバー本体の内側に固定することができる。
【００１３】
また、カバー本体を段ボールで形成してもよい。このように構成すれば、低コストで端末保護カバーを製作することができる。また、加工が容易であるため、例えばユーザがケーブル穴を新たに設けたり、操作用の穴を設けたりといったことも自由に行うことができる。
【図面の簡単な説明】
【００１４】
【図１】端末保護カバーの正面図である。
【図２】端末保護カバーの使用方法を説明する図であって、使用前の図である。
【図３】端末保護カバーの使用方法を説明する図であって、カバー本体の上に端末を載置した状態の図である。
【図４】端末保護カバーの使用方法を説明する図であって、端末を覆う途中の図である。
【図５】（ａ）端末を覆った状態の背面図、（ｂ）端末を覆った状態の正面図である。
【図６】変形例１に係る端末保護カバーの図であって、ケーブル穴付近を拡大した図である。
【図７】変形例２に係る端末保護カバーの正面図である。
【図８】変形例２に係る端末保護カバーを組み立てた状態の斜視図である。
【図９】変形例２に係る端末保護カバーで端末を保護した状態の斜視図である。
【発明を実施するための形態】
【００１５】
本発明の実施形態について、図を参照しながら説明する。
本実施形態に係る端末保護カバー１０は、スマートフォンやタブレット端末などの携帯端末を覆って保護するためのものである。これらの端末３５は、充電や通信のためにプラグ３６を装着可能なコネクタ部を備えている。本実施形態に係る端末保護カバー１０は、このプラグ３６を装着した状態の端末３５を収容可能に形成されたものである。
【００１６】
この端末保護カバー１０は、図１に示すように、箱状に組み立て可能なカバー本体１１と、プラグ３６のケーブル３７に装着可能な抜け止め部材３０と、を備えて構成される。
【００１７】
本実施形態に係るカバー本体１１は、１枚の段ボールを切断またはくり抜いて形成されている。このため、図１に示すように平面展開可能となっている。そして、この１枚の段ボールを折り目に従って組み立てると箱状のケースとなり、内部に端末３５を収容可能となる。
【００１８】
このカバー本体１１は、端末３５の正面を覆う正面部１２と、端末３５の上辺を覆う上辺部１３と、端末３５の下辺を覆う下辺部１４と、端末３５の左辺を覆う左辺部１５と、端末３５の右辺を覆う右辺部１６と、端末３５の背面を覆う背面部（上背面部１７、下背面部１８、左背面部１９、および右背面部２０）と、を備えている。これらの各部位は折り目を介して互いに接続されている。
【００１９】
正面部１２は、端末３５の縦横の大きさよりもやや大きな面積で形成されている。具体的には、正面部１２は、プラグ３６を装着した状態の端末３５が収まる大きさで形成されている（端末３５の大きさにプラグ３６の突出量を加えた大きさよりも大きく形成されている）。この正面部１２には、端末３５の画面３５ａを露出させるための正面開口２７が形成されている。正面開口２７の大きさは、端末３５の画面３５ａの大きさを基準に設定されている。
【００２０】
上辺部１３は、正面部１２の上端部に屈折可能に接続されている。この上辺部１３の縦幅（正面部１２との境界線に対して直交する方向の幅）は、端末３５の厚みよりもやや大きく設定されている。
【００２１】
下辺部１４は、正面部１２の下端部に屈折可能に接続されている。この下辺部１４の縦幅（正面部１２との境界線に対して直交する方向の幅）は、上辺部１３の高さと同じに設定されており、すなわち、端末３５の厚みよりもやや大きく設定されている。
【００２２】
左辺部１５は、正面部１２の左端部に屈折可能に接続されている。この左辺部１５の横幅（正面部１２との境界線に対して直交する方向の幅）は、上辺部１３の高さと同じに設定されており、すなわち、端末３５の厚みよりもやや大きく設定されている。
【００２３】
右辺部１６は、正面部１２の右端部に屈折可能に接続されている。この右辺部１６の横幅（正面部１２との境界線に対して直交する方向の幅）は、上辺部１３の高さと同じに設定されており、すなわち、端末３５の厚みよりもやや大きく設定されている。
【００２４】
上背面部１７は、上辺部１３の上端部に屈折可能に接続されている。この上背面部１７は、カバー本体１１を組み立てたときに上方から端末３５の背面を保護するようになっている。
【００２５】
下背面部１８は、下辺部１４の下端部に屈折可能に接続されている。この下背面部１８は、カバー本体１１を組み立てたときに下方から端末３５の背面を保護するようになっている。
【００２６】
なお、上記した上背面部１７および下背面部１８の裏面（端末３５に対向する面）には、図２に示すように、固定手段２３が設けられている。この固定手段２３は、カバー本体１１を組み立てたときにカバー本体１１の内側に臨む面に貼り付けられた面ファスナーである。固定手段２３は、この面ファスナーによって端末３５の位置を固定する。すなわち、図２に示すように、端末３５の裏面にも面ファスナーが貼り付けられており、この面ファスナーによって端末側固定部３９が構成されている。この端末側固定部３９に、固定手段２３を係合させることで、端末３５の位置を固定することができるようになっている。
【００２７】
本実施形態においては、上下の両側から上背面部１７および下背面部１８によって端末３５の背面を保護するとともに、これらの上背面部１７および下背面部１８の両方に固定手段２３を設けることで、端末３５の位置を確実に固定できるようにしている。なお、上背面部１７および下背面部１８は、図４に示すように、端末３５の背面を保護したときに互いに重なり合わないように形成されている。このため、上背面部１７と下背面部１８とが干渉せず、２つの固定手段２３で確実に固定することができる。
【００２８】
左背面部１９は、左辺部１５の左端部に屈折可能に接続されている。この左背面部１９は、カバー本体１１を組み立てたときに左側から端末３５の背面を保護するようになっている。
【００２９】
右背面部２０は、右辺部１６の右端部に屈折可能に接続されている。この右背面部２０は、カバー本体１１を組み立てたときに右側から端末３５の背面を保護するようになっている。
【００３０】
上記した左背面部１９および右背面部２０は、図５等に示すように、互いに重なり合わずに組み合わさり、組み合わさった形状が正面部１２と等しくなるように形成されている。また、この左背面部１９および右背面部２０には、互いに閉じた状態で固定するための留め具２４が設けられている。本実施形態に係る留め具２４は、左背面部１９および右背面部２０の両方に取り付けられたボタン２５と、一方のボタン２５に取り付けられた紐２６と、から構成されている。この留め具２４は、図５（ａ）に示すように、紐２６をボタン２５に巻き付けることで左背面部１９と右背面部２０とを閉じた状態で固定することができるものである。
【００３１】
なお、このカバー本体１１には、ケーブル３７を通すためのケーブル穴２１が開口形成されている。本実施形態においては、下辺部１４にケーブル穴２１が開口形成されているが、ケーブル穴２１の位置は端末３５の種類に応じて自由に設定することができる。また、ケーブル穴２１の位置も１つに限らず、複数設けてもよい。また、本実施形態に係るカバー本体１１は段ボールで形成されているため、予めケーブル穴２１が開いていない場合でも、ユーザが容易にケーブル穴２１を増やすことができる。また、ケーブル３７を通すための穴だけではなく、その他の目的の穴を設けてもよい。例えば、端末３５のボタンを操作するための穴を設けてもよい。
【００３２】
また、このケーブル穴２１の近傍には、抜け止め部材３０を取り付けるための取り付け部２２が設けられている。この取り付け部２２は、カバー本体１１の裏側、すなわち、組み立てたときにカバー本体１１の内側になる面に設けられている。本実施形態に係る取り付け部２２は、面ファスナーで構成されている。
【００３３】
本実施形態に係る抜け止め部材３０は、上記した取り付け部２２に係合可能な面ファスナーで形成されている。これにより、抜け止め部材３０は、カバー本体１１の内側に係合可能となっている。この抜け止め部材３０は、接着テープや狭持クリップなどによってプラグ３６のケーブル３７に取り付けて使用される。このため、抜け止め部材３０を取り付け部２２に係合させることで、ケーブル３７をカバー本体１１の内側に固定することができる。
【００３４】
次に、上記した端末保護カバー１０の使用方法について説明する。端末保護カバー１０に端末３５を収容する場合には、まず図２に示すように、カバー本体１１を裏返しにして展開する。また、端末３５の裏面には端末側固定部３９を取り付け、ケーブル３７には抜け止め部材３０を取り付ける。
【００３５】
次に、図３に示すように、カバー本体１１の上に端末３５を載置する。このとき、端末３５の画面３５ａを、カバー本体１１の正面開口２７の位置に合わせるように配置する。そして、ケーブル３７を外側からケーブル穴２１に通し、プラグ３６を端末３５に差し込んだ状態とする。プラグ３６を差し込んだら、抜け止め部材３０を取り付け部２２に係合させることで、ケーブル３７をカバー本体１１の内側に固定する。
【００３６】
そして、図４に示すように、カバー本体１１の上部および下部を屈折させ、上背面部１７および下背面部１８で端末３５の背面を覆う。このとき、上背面部１７および下背面部１８の固定手段２３が、端末３５の端末側固定部３９に係合するので、端末３５の位置が固定される。
【００３７】
次に、図５（ａ）に示すように、カバー本体１１の左右を屈折させ、左背面部１９および右背面部２０で端末３５の背面を覆う。そして、留め具２４の紐２６を２つのボタン２５に交互に巻き付けることで、左背面部１９と右背面部２０とを閉じた状態で固定する。以上の手順により、端末３５を端末保護カバー１０で覆うことができる。このとき、図５（ｂ）に示すように、画面３５ａは露出した状態となるので、タッチパネルを使用可能な状態となる。また、プラグ３６はカバー本体１１に収容されて端末３５に差し込まれた状態であるため、プラグ３６を装着した状態で端末３５を使用することができる。
【００３８】
以上説明したように、本実施形態によれば、カバー本体１１には、ケーブル３７を通すためのケーブル穴２１が開口形成されている。このため、カバー本体１１にプラグ３６を装着した状態の端末３５を収容したときに、ケーブル穴２１からケーブル３７を外部に出すことができる。すなわち、プラグ３６を含めてカバー本体１１の内部に収容することができる。よって、プラグ３６およびプラグ３６を装着するコネクタ部分を保護することができる。
【００３９】
そして、プラグ３６のケーブル３７に装着可能な抜け止め部材３０を備え、この抜け止め部材３０は、カバー本体１１の内側に係合可能である。よって、抜け止め部材３０をカバー本体１１の内側に係合させることで、カバー本体１１の外に出ているケーブル３７が引っ張られたとしてもプラグ３６が脱落しにくい構造とすることができる。
【００４０】
本実施形態においては、抜け止め部材３０を面ファスナーで構成している。このため、抜け止め部材３０を容易にカバー本体１１の内側に着脱することができる。
【００４１】
また、カバー本体１１の内側に、端末３５の位置を固定するための固定手段２３を設けている。このため、カバー本体１１の内部空間を大きくした場合でも、カバー本体１１の内部で端末３５が動くことを防止できる。すなわち、本実施形態においては、プラグ３６を含めてカバー本体１１の内部に収容するために、カバー本体１１の内部空間は端末３５よりも大きく形成されている。このような場合でも、端末３５の位置を固定することができる。
【００４２】
また、この固定手段２３は、面ファスナーによって端末３５の位置を固定している。このため、端末３５を容易にカバー本体１１の内側に固定することができる。
【００４３】
また、カバー本体１１を段ボールで形成しているため、低コストで端末保護カバー１０を製作することができる。また、加工が容易であるため、例えばユーザがケーブル穴２１を新たに設けたり、操作用の穴を設けたりといったことも自由に行うことができる。
【００４４】
なお、上記した実施形態においては、抜け止め部材３０をカバー本体１１の取り付け部２２に係合させるようにしたが、これに限らない。例えば、図２に示すように、端末３５の表面に面ファスナーを貼り付けるなどして端末側取り付け部３８を設け、この端末側取り付け部３８に抜け止め部材３０を係合させるようにしてもよい。
【００４５】
また、上記した実施形態においては、抜け止め部材３０が面ファスナーで構成された例について説明したが、これに限らない。例えば、図６に示すように、抜け止め部材３１として、ケーブル穴２１に係合するクリップ部材を備えるようにしてもよい。このように構成した場合でも、プラグ３６の脱落を防止することができる。また、カバー本体１１の内側に抜け止め部材３０の取り付け部２２を設けなくてもよいので、構造を簡略化することができる。
【００４６】
また、上記した実施形態においては、タブレット携帯などの端末３５を覆う例について説明したが、これに限らない。例えば、図７〜９に示すように、ノートパソコンなどの端末５０を保護可能な端末保護カバー４０であってもよい。
【００４７】
この端末保護カバー４０は、図７に示すように、正面壁部４２と、左壁部４３と、右壁部４４と、上壁部４５と、支持部４６と、を備える。これらを箱状に組み立てることで、図８および図９に示すように、正面壁部４２で端末５０の背後が保護され、左壁部４３で端末５０の左側が保護され、右壁部４４で端末５０の右側が保護され、上壁部４５で端末５０の上部が保護される。そして、支持部４６によって端末保護カバー４０の自立が補助される。
【００４８】
また、正面壁部４２、左壁部４３、および右壁部４４には、ケーブル５１を通すためのケーブル穴４７が開口形成されている。また、このケーブル穴４７の近傍には、面ファスナーで構成された取り付け部４８が設けられている。
【００４９】
そして、図９に示すように、端末５０に差し込まれるプラグのケーブル５１には、面ファスナーで構成された抜け止め部材４９が装着されている。この抜け止め部材４９を取り付け部４８に係合させることで、ケーブル５１がカバー本体４１の内側に固定されるようになっている。このような態様であっても、プラグの脱落を防止することができる。
【符号の説明】
【００５０】
１０  端末保護カバー
１１  カバー本体
１２  正面部
１３  上辺部
１４  下辺部
１５  左辺部
１６  右辺部
１７  上背面部
１８  下背面部
１９  左背面部
２０  右背面部
２１  ケーブル穴
２２  取り付け部
２３  固定手段
２４  留め具
２５  ボタン
２６  紐
２７  正面開口
３０  抜け止め部材（面ファスナー）
３１  抜け止め部材（クリップ部材）
３５  端末
３５ａ  画面
３６  プラグ
３７  ケーブル
３８  端末側取り付け部
３９  端末側固定部
４０  端末保護カバー
４１  カバー本体
４２  正面壁部
４３  左壁部
４４  右壁部
４５  上壁部
４６  支持部
４７  ケーブル穴
４８  取り付け部
４９  抜け止め部材（面ファスナー）
５０  端末
５１  ケーブル
【図１】
2019144946.tif 000003
【図２】
2019144946.tif 000004
【図３】
2019144946.tif 000005
【図４】
2019144946.tif 000006
【図５】
2019144946.tif 000007
【図６】
2019144946.tif 000008
【図７】
2019144946.tif 000009
【図８】
2019144946.tif 000010
【図９】
2019144946.tif 000011